(57)【要約】【課題】周波数帯域を増加させたセルと近傍のセルとの間での干渉の発生を抑えることが可能な周波数帯域割当て制御装置を得ること。【解決手段】本発明は、複数の大セルに含まれる複数のセルの周波数帯域の割当てを制御する周波数帯域割当て制御装置であって、１つの大セルに含まれる１つのセルの周波数帯域を増加させる必要がある場合に、１つの大セルに含まれる他のセルの周波数帯域を削減し、それにより生じる周波数帯域を１つのセルに追加して割当てるための第１の制御信号を出力する制御手段（セル制御部２５０）と、第１の制御信号に基づいて、複数のセルの周波数の割当てを行う周波数帯域割当て手段（小セル周波数帯域割当て・合成部２２０、２２１、…、２２ｎ）と、を備える。【選択図】図１
2010206527.tif 000002
【特許請求の範囲】
【請求項１】
複数の大セルに含まれる複数のセルの周波数帯域の割当てを制御する周波数帯域割当て制御装置であって、
前記複数の大セルのうちの１つの大セルに含まれる１つ以上のセルの周波数帯域を増加させる必要がある場合に、前記１つの大セルに含まれる前記周波数帯域を増加させる必要があるセル以外の他のセルの周波数帯域を削減し、それにより生じる周波数帯域を、前記周波数帯域を増加させる必要があるセルに追加して割当てるための第１の制御信号を出力する制御手段と、
前記第１の制御信号に基づいて、前記１つの大セルに含まれる前記複数のセルの周波数の割当てを行う周波数帯域割当て手段と、
を備えることを特徴とする周波数帯域割当て制御装置。
【請求項２】
複数の大セルに含まれる複数のセルの周波数帯域の割当てを制御する周波数帯域割当て制御装置であって、
前記大セルに含まれるセルと、当該セルの周波数帯域を増加させた場合にそれにより干渉が発生し得る小セルに関する情報と、の関係を表すデータを記録した記録手段と、
前記複数の大セルのうちの１つの大セルに含まれる１つ以上のセルの周波数帯域を増加させる必要がある場合に、前記１つの大セルに含まれる前記周波数帯域を増加させる必要があるセル以外の他のセルの周波数帯域を削減し、それにより生じる周波数帯域を、前記周波数帯域を増加させる必要があるセルに追加して割当てるとともに、前記記録手段に記録されている前記データに基づいて、前記干渉が発生し得る小セルにおいて干渉が発生しないように前記干渉が発生し得る小セルの周波数帯域を制御するための第１の制御信号を出力する制御手段と、
前記第１の制御信号に基づいて、前記１つの大セルに含まれる前記複数のセルの周波数の割当てを行う周波数帯域割当て手段と、
を備えることを特徴とする周波数帯域割当て制御装置。
【請求項３】
複数の大セルに含まれる複数のセルの周波数帯域の割当てを制御する周波数帯域割当て制御装置であって、
前記複数の大セルのうちの１つの大セルに含まれる１つのセルの周波数帯域を増加させる必要がある場合に、前記１つのセルを中心とする新たな大セルを設けるための第２の制御信号、および前記新たな大セルに含まれる前記１つのセル以外の他のセルの周波数帯域を削減し、それにより生じる周波数帯域を前記１つのセルに追加して割当てるための第３の制御信号を出力する制御手段と、
前記第２の制御信号に基づいて、前記１つのセルを中心とする新たな大セルを設けて当該大セルに周波数帯域を割当てる大セル周波数割当て手段と、
前記第３の制御信号に基づいて、前記新たな大セルに含まれる前記複数のセルの周波数の割当てを行う周波数帯域割当て手段と、
を備えることを特徴とする周波数帯域割当て制御装置。
【請求項４】
前記大セルに含まれるセルと、当該セルを中心とする新たな大セルを設けるための前記制御信号を生成するための情報と、の関係を表すデータを記録した記録手段、
を更に備え、
前記制御手段は、前記記録手段に記録された前記データに基づいて、前記第２および第３の制御信号を出力することを特徴とする請求項３に記載の周波数帯域割当て制御装置。
【請求項５】
前記制御手段は、周波数帯域が削減されたセルを含む大セルに隣接する大セルに含まれるセルであって前記周波数帯域が削減されたセルに割当てられている周波数帯域を含む周波数帯域が割当てられているセルの周波数帯を、前記周波数帯域が削減されたセルに割当てられている周波数帯域と同じ周波数帯域とするような前記第１〜第３の制御信号を出力することを特徴とする請求項１〜４のいずれか１つに記載の周波数帯域割当て制御装置。
【請求項６】
前記周波数帯域割当て手段は、１つの大セルに割当てられる周波数帯域を、当該大セルに含まれる複数のセルに連続的または離散的に割当てることを特徴とする請求項１〜５のいずれか１つに記載の周波数帯域割当て制御装置。
【発明の詳細な説明】
【技術分野】
【０００１】
本発明は、複数のビームの照射によって形成される複数のセルでサービスエリアをカバーする通信システムにおいて、複数のセルの周波数帯域割当ての制御を行う周波数帯域割当て制御装置に関する。
【背景技術】
【０００２】
従来の衛星放送システムとして、下記の特許文献１に掲載されたものが知られている。特許文献１に掲載された衛星放送システムにおいては、基地局は、５つの周波数帯を用い、放送衛星経由で、セル番号１〜４の４個のセル（エリア）に通信チャネルを送信することができる。セル番号１〜４の４個のセルには、各セルに対応づけられた通信チャネルＳ１〜Ｓ４のビームが放送衛星から送信される。通信チャネルＳ５は、４つの通信チャネルＳ１〜Ｓ４に多重化される。
【０００３】
特許文献１に掲載された衛星放送システムにおいては、セル番号１〜４の４個のセルに送信される各ビームの中心周波数ｆｓが同じであるので、４個のセル間で干渉が生じる可能性があるが、例えばスペクトラム拡散を行うことで干渉を軽減することができる。また、各セル内において受信端末がビームを受信する際に通信チャネルＳ５が多重化されている場合であっても、スペクトラム拡散が行われることを想定することで、干渉を軽減することができる。
【先行技術文献】
【特許文献】
【０００４】
【特許文献１】特開平１０−３３６１４５号公報
【発明の概要】
【発明が解決しようとする課題】
【０００５】
しかしながら、各ビーム（または各セル）において、衛星放送システムに割当てられた全周波数帯域幅（同一の周波数帯域幅）を利用する場合には、放送衛星から各セルに照射される各ビームのオーバラップする領域が大きいと、たとえスペクトラム拡散を行っていても、干渉が発生し、十分な通信品質が得られないという問題がある。このような干渉を回避するため、一般に、スペクトラム拡散を行わない場合には、セルごとに周波数帯域を繰り返して配置することで干渉を回避する手法が用いられる。このようにセルごとに周波数帯域を繰り返して配置する場合には、セル（またはビーム）のオーバラップする領域にも依るが、周波数帯域の繰り返し数を７とする（７セル周波数帯域繰り返しとする）ことが一般的である。
【０００６】
セル（ビーム）ごとに周波数帯域を繰り返して配置する衛星放送システムにおいて、災害時等の緊急性を要するときに、トラフィック量の増加等の理由により、特定のセルの周波数帯域を増加させる必要が生じる場合がある。そのような場合、当該特定のセルの周波数帯域と同一の周波数帯域を利用する近傍のセルに干渉が発生するという問題があった。
【０００７】
上記のように特定のセルの周波数帯域を増加させる必要が生じた場合に、干渉を回避するためには、セルごとに必要な帯域幅を考慮しながら周波数帯域を設定する（割当てる）必要がある。そのため、周波数帯域を増加させる必要が生じた特定のセルの近傍のセルだけに留まらず、衛星放送システムがカバーする全セル（またはビーム）の周波数帯域割当ての全体を見直す必要が生じるという問題があった。さらに、周波数帯域の割当てパターンの候補が膨大な数となることから、セルごとに周波数帯域を割当てる処理が複雑になるという問題があった。
【０００８】
また、上記したような衛星放送システムにおいて、基地局から送信される複数の通信チャネルの信号をチャネル分離してセル（またはビーム）ごとに送信する場合には、放送衛星上の周波数帯域割当て制御装置において、衛星放送システム全体のセル（またはビーム）で自由に周波数帯域を設定することが可能なチャネル分離処理を行う必要があり、周波数帯域割当て制御装置および方法が複雑になるという問題があった。
【０００９】
本発明は、上記に鑑みてなされたものであって、或るセル（またはビーム）の周波数帯域を増加させた場合であっても、当該セルと近傍のセルとの間での干渉の発生を抑えることが可能な周波数帯域割当て制御装置を得ることを目的とする。
【課題を解決するための手段】
【００１０】
上述した課題を解決し、目的を達成するために、本発明は、複数の大セルに含まれる複数のセルの周波数帯域の割当てを制御する周波数帯域割当て制御装置であって、前記複数の大セルのうちの１つの大セルに含まれる１つのセルの周波数帯域を増加させる必要がある場合に、前記１つの大セルに含まれる前記１つのセル以外の他のセルの周波数帯域を削減し、それにより生じる周波数帯域を前記１つのセルに追加して割当てるための第１の制御信号を出力する制御手段と、前記第１の制御信号に基づいて、前記１つの大セルに含まれる前記複数のセルの周波数の割当てを行う周波数帯域割当て手段と、を備えることを特徴とする。
【発明の効果】
【００１１】
本発明によれば、或るセル（またはビーム）の周波数帯域を増加させた場合であっても、当該セルと近傍のセルとの間での干渉の発生を抑えることができる、という効果を奏する。
【図面の簡単な説明】
【００１２】
【図１】図１は、本発明にかかる周波数帯域割当て制御装置の実施の形態１の構成例を示す図である。
【図２】図２は、基地局から通信衛星に送信される大セルの通信チャネルの例を示す図である。
【図３】図３は、ビームの照射によって形成される複数の大セル、および各大セルに含まれる複数の小セルの例を示す図である。
【図４】図４は、実施の形態１の小セル周波数帯域割当て・合成部の構成例を示す図である。
【図５】図５は、大セルＢｉ，ｊに割当てられる周波数帯域を小セルＳ１（ｉ，ｊ）〜Ｓ７（ｉ，ｊ）に連続的かつ均等に割当てた場合の周波数帯域ブロックの例を示す図である。
【図６】図６は、大セルＢｉ，ｊに割当てられる周波数帯域を小セルＳ１（ｉ，ｊ）〜Ｓ７（ｉ，ｊ）に離散的に割当てた場合の周波数帯域ブロックの例を示す図である。
【図７】図７は、大セルＢｉ，ｊ内の小セルＳ３（ｉ，ｊ）の周波数帯域を大セルＢｉ，ｊ内の小セルＳ２（ｉ，ｊ）に融通した場合の複数の大セル、および各大セルに含まれる複数の小セルの例を示す図である。
【図８】図８は、大セルＢｉ，ｊ内の小セルＳ３（ｉ，ｊ）の周波数帯域を大セルＢｉ，ｊ内の小セルＳ２（ｉ，ｊ）に融通した場合の周波数帯域の例を示す図である。
【図９】図９は、大セルＢｉ，ｊ内の小セルＳ１（ｉ，ｊ）、Ｓ３（ｉ，ｊ）〜Ｓ７（ｉ，ｊ）の周波数帯域を大セルＢｉ，ｊ内の小セルＳ２（ｉ，ｊ）に融通した場合の複数の大セル、および各大セルに含まれる複数の小セルの例を示す図である。
【図１０】図１０は、大セルＢｉ，ｊ内の小セルＳ１（ｉ，ｊ）、Ｓ３（ｉ，ｊ）〜Ｓ７（ｉ，ｊ）の周波数帯域を大セルＢｉ，ｊ内の小セルＳ２（ｉ，ｊ）に融通した場合の周波数帯域の例を示す図である。
【図１１】図１１は、１つの大セル内の小セル間で周波数帯域を融通した場合に、当該１つの大セルとの間で干渉が発生し得る当該１つの大セル以外の他の大セル内の小セルの位置等の規則性（関係）を表すテーブルを示す図である。
【図１２】図１２は、本発明にかかる周波数帯域割当て制御装置の実施の形態２の構成例を示す図である。
【図１３】図１３は、実施の形態２における大セルの設定方法の概要を示す図である。
【図１４】図１４は、大セルＢｉ，ｊ内の小セルＳ２（ｉ，ｊ）〜Ｓ７（ｉ，ｊ）の周波数帯域を小セルＳ１（ｉ，ｊ）に融通した場合の複数の大セル、および各大セルに含まれる複数の小セルの例を示す図である。
【図１５】図１５は、大セルＢｉ，ｊ内の小セルＳ２（ｉ，ｊ）〜Ｓ７（ｉ，ｊ）の周波数帯域を小セルＳ１（ｉ，ｊ）に融通した場合の周波数帯域の例を示す図である。
【図１６】図１６は、大セルＢ（ｍ）ｉ，ｊで中心となる小セルＳｍ（ｉ，ｊ）と、大セルＢ（ｍ）ｉ，ｊ内の各小セルで使用される大セルＢ（１）ｉ，ｊの周波数帯域、およびセル制御信号と、の関係を表すテーブルを示す図である。
【図１７】図１７は、実施の形態２の大セル周波数帯域割当て部の構成例を示す図である。
【図１８】図１８は、実施の形態２の小セル周波数帯域割当て・合成部の構成例を示す図である。
【発明を実施するための形態】
【００１３】
以下に、本発明にかかる周波数帯域割当て制御装置の実施の形態を図面に基づいて詳細に説明する。なお、この実施の形態によりこの発明が限定されるものではない。
【００１４】
実施の形態１．
図１は、本発明にかかる周波数帯域割当て制御装置を備えた通信衛星の実施の形態１の構成例を示す図である。本実施の形態は、本発明を通信衛星に適用したものである。本実施の形態においては、複数の大セルの各々が複数のセル（以下、「小セル」と呼ぶこともある。）を含んで構成される。なお、ビームとセルとは、ビームが照射されるエリアがセルであるという関係にある。
【００１５】
この通信衛星は、受信アンテナ（図示せず）によって受信され、複数の大セルに対応する複数の通信チャネルの信号を複数の大セルごとに分離するチャネル分離部２００と、複数の大セルごとに設けられ、複数の大セルの各々に含まれる複数の小セルの周波数帯域割当てを行う小セル周波数帯域割当て・合成部２２０、２２１、…、２２ｎと、小セル周波数帯域割当て・合成部２２０、２２１、…、２２ｎからの出力信号に基づいてビーム形成処理を行うビーム形成部２３０と、ビーム形成部２３０によって形成されたビームに周波数変換を行って送信マルチビームアンテナ（図示せず）に送信する周波数変換部２４０と、受信アンテナによって受信された制御チャネルの信号に基づく制御信号を小セル周波数帯域割当て・合成部２２０、２２１、…、２２ｎに出力するセル制御部２５０と、を備える。なお、セル制御部２５０が制御手段を構成し、小セル周波数帯域割当て・合成部２２０、２２１、…、２２ｎが周波数帯域割当て手段を構成する。
【００１６】
図２は、基地局からこの通信衛星に送信される大セルＢｉ，ｊ（ｉ，ｊは任意の整数であり、大セルの識別番号である。）の通信チャネル１１０〜１１８を示す図である。本実施の形態においては７セル周波数帯域繰り返しを想定するとともに、セル周波数帯域繰り返し数「７」を１つの大セルに含まれる小セルの数としている。従って、図２に示す大セルＢｉ，ｊの通信チャネル１１４は、７つの周波数帯域ブロックＦ１（ｉ，ｊ）〜Ｆ７（ｉ，ｊ）（１２０〜１２６）を含んでいる。図２においては、７つの周波数帯域ブロックごとに周波数帯域を断片的に利用しているようにも見えるが、７つの周波数帯域ブロックがあることが容易にわかるように便宜的に示したものであり、周波数帯域を連続的に利用するようにしても良い。また、本実施の形態においては、セル周波数帯域繰り返し数を「７」として説明を行うが、必ずしもセル周波数帯域繰り返し数を「７」とする必要はなく、セル周波数帯域繰り返し数を任意の数としても良い。さらに、周波数帯域ブロックＦ１（ｉ，ｊ）〜Ｆ７（ｉ，ｊ）（１２０〜１２６）に含まれている周波数帯域ｆ１１〜ｆ１４、ｆ２１〜ｆ２４、ｆ３１〜ｆ３４、ｆ４１〜ｆ４４、ｆ５１〜ｆ５４、ｆ６１〜ｆ６４、ｆ７１〜ｆ７４は、各小セル内での周波数帯域割当ての最小単位を示している。
【００１７】
図３は、ビームの照射によって形成される複数の大セル、および各大セルに含まれる複数の小セルの例を示す図である。各大セルＢｉ，ｊ（ｉ，ｊは任意の整数であり、大セルの識別番号である。）は、いずれも７個の小セルＳ１〜Ｓ７を含んで構成されている。本実施の形態においては、大セル単位で周波数帯域ブロックを割当て、各大セル内で各小セルの周波数帯域の割当てを行う。
【００１８】
再び図１を参照し、本実施の形態の動作について説明する。通信衛星に入力された各大セルＢｉ，ｊ（ｉ，ｊは任意の整数であり、大セルの識別番号である。）の通信チャネルは、チャネル分離部２００によって大セル単位で周波数帯域が分離され、ベースバンド信号に周波数変換される。
【００１９】
チャネル分離部２００から出力される各大セルの周波数帯域ブロックは、７つの周波数帯域ブロックを含んでおり、大セルごとに設けられている小セル周波数帯域割当て・合成部２２０、２２１、…、２２ｎに入力される。小セル周波数帯域割当て・合成部２２０、２２１、…、２２ｎは、セル制御部２５０から入力される制御信号に基づいて、各小セルの周波数帯域割当てを行う。セル制御部２５０から出力される制御信号は、通信チャネルとは別に基地局から送信される周波数割当て制御信号に基づいて生成される。周波数割当て制御信号は、チャネル分離部２００によってチャネル分離されてセル制御部２５０に出力され、セル制御部２５０が、周波数割当て制御信号に基づいて、大セルごとの周波数帯域割当てを制御するための制御信号を生成し、小セル周波数帯域割当て・合成部２２０、２２１、…、２２ｎに出力する。
【００２０】
図４は、小セル周波数帯域割当て・合成部２２０、２２１、…、２２ｎの単体構成を示す図である。図４において、１０〜１６は、大セルＢｉ，ｊ（ｉ，ｊは任意の整数であり、大セルの識別番号である。）の周波数帯域ブロックＦ１（ｉ，ｊ）〜Ｆ７（ｉ，ｊ）であり、１００は、セル制御部２５０から入力される大セルＢｉ，ｊ用の周波数割当て制御信号Ｐ１（ｉ，ｊ）〜Ｐ７（ｉ，ｊ）に基づいて、周波数帯域ブロックＦ１（ｉ，ｊ）〜Ｆ７（ｉ，ｊ）（１０〜１６）を周波数帯域割当ての最小単位である周波数帯域ｆ１１〜ｆ１４、ｆ２１〜ｆ２４、ｆ３１〜ｆ３４、ｆ４１〜ｆ４４、ｆ５１〜ｆ５４、ｆ６１〜ｆ６４、ｆ７１〜ｆ７４ごとに選択して合成することにより各小セルＳ１（ｉ，ｊ）〜Ｓ７（ｉ，ｊ）の信号を生成する周波数帯域ブロック選択合成部である。２０〜２６（Ｃ１１〜Ｃ１７）は、小セルＳ１（ｉ，ｊ）に利用する周波数帯域ブロックが抽出された後にそれらの周波数帯域ブロックを合成する合成部である。本実施の形態においては、周波数帯域ブロック選択合成部１００は、７行×７列の計４９個の合成部Ｃ１１〜Ｃ７７を含んでいる。
【００２１】
次に、小セル周波数帯域割当て・合成部２２０、２２１、…、２２ｎの動作について、図４〜図６を参照しながら説明する。図４において、小セルＳ１（ｉ，ｊ）の信号の周波数帯域割当てを例にとって説明する。小セルＳ１（ｉ，ｊ）の信号の周波数帯域割当ては、小セルＳ１（ｉ，ｊ）に対応する周波数割当て制御信号Ｐ１（ｉ，ｊ）に基づいて行われる。具体的には、周波数帯域ブロック選択合成部１００内の合成部Ｃ１１〜Ｃ１７（２０〜２６）は、周波数割当て制御信号Ｐ１（ｉ，ｊ）に基づいて、周波数帯域ｆ１１〜ｆ１４、ｆ２１〜ｆ２４、ｆ３１〜ｆ３４、ｆ４１〜ｆ４４、ｆ５１〜ｆ５４、ｆ６１〜ｆ６４、ｆ７１〜ｆ７４の最小単位ごとに合成を行う。同様に、小セルＳ２（ｉ，ｊ）〜Ｓ７（ｉ，ｊ）に関しても、周波数割当て制御信号Ｐ２（ｉ，ｊ）〜Ｐ７（ｉ，ｊ）に基づいて、周波数帯域割当てが行われる。図５は、大セルＢｉ，ｊに割当てられる周波数帯域を小セルＳ１（ｉ，ｊ）〜Ｓ７（ｉ，ｊ）に連続的かつ均等に割当てた場合の周波数帯域ブロック３０〜３６を示す図である。また、図６は、大セルＢｉ，ｊに割当てられる周波数帯域を小セルＳ１（ｉ，ｊ）〜Ｓ７（ｉ，ｊ）に離散的に割当てた場合の周波数帯域ブロック９０〜９６を示す図である。図５、および図６に示した例のように、大セルＢｉ，ｊに割当てられる周波数帯域を小セルＳ１（ｉ，ｊ）〜Ｓ７（ｉ，ｊ）に連続的または離散的に割当てることが可能である。このような周波数帯域の割当ては、セル制御部２５０から入力される周波数割当て制御信号Ｐ１（ｉ，ｊ）〜Ｐ７（ｉ，ｊ）に基づいて行われる。
【００２２】
次に、本実施の形態において、災害時等の緊急性を要する場合に、トラフィック量の増加等の理由により、大セルＢｉ，ｊ内の特定の小セルで使用する周波数帯域を増加させる必要が生じたときの周波数帯域割当てについて、図７〜図１１を参照しながら説明する。
【００２３】
先に図５に示したように、災害時等ではないとき、大セルＢｉ，ｊ内の各小セルＳ１（ｉ，ｊ）〜Ｓ７（ｉ，ｊ）には、周波数帯域ｆ１１〜ｆ１４、ｆ２１〜ｆ２４、ｆ３１〜ｆ３４、ｆ４１〜ｆ４４、ｆ５１〜ｆ５４、ｆ６１〜ｆ６４、ｆ７１〜ｆ７４が均等に割り当てられている。
【００２４】
ここで、大セルＢｉ，ｊ内の小セルＳ２（ｉ，ｊ）内において災害等が発生し、大セルＢｉ，ｊ内の小セルＳ２（ｉ，ｊ）の周波数帯域を増加させる必要が生じた場合には、大セルＢｉ，ｊ内の他の小セルＳ１（ｉ，ｊ）、Ｓ３（ｉ，ｊ）〜Ｓ７（ｉ，ｊ）の周波数帯域を削減し、それによって生じる周波数帯域を小セルＳ２（ｉ，ｊ）に追加して割り当てる。換言すると、大セルＢｉ，ｊ内の他の小セルＳ１（ｉ，ｊ）、Ｓ３（ｉ，ｊ）〜Ｓ７（ｉ，ｊ）の周波数帯域を小セルＳ２（ｉ，ｊ）に融通する。ここでは、大セルＢｉ，ｊ内の小セルＳ３（ｉ，ｊ）の周波数帯域を大セルＢｉ，ｊ内の小セルＳ２（ｉ，ｊ）に融通する場合について説明する。
【００２５】
図７は、大セルＢｉ，ｊ内の小セルＳ３（ｉ，ｊ）の周波数帯域を大セルＢｉ，ｊ内の小セルＳ２（ｉ，ｊ）に融通した場合の複数の大セル、および各大セルに含まれる複数の小セルの例を示す図である。図７において、大セルＢｉ，ｊ内の白抜き矢印は、大セルＢｉ，ｊ内の小セルＳ３（ｉ，ｊ）の周波数帯域を大セルＢｉ，ｊ内の小セルＳ２（ｉ，ｊ）に融通したことを示している。
【００２６】
図８は、上記のようにして大セルＢｉ，ｊ内の小セルＳ１（ｉ，ｊ）〜Ｓ７（ｉ，ｊ）に周波数帯域を割当てた場合の周波数帯域ブロック６０〜６６を示す図である。ここでは、大セルＢｉ，ｊ内の小セルＳ３（ｉ，ｊ）の周波数帯域を大セルＢｉ，ｊ内の小セルＳ２（ｉ，ｊ）に融通することとしている。そのため、大セルＢｉ，ｊ内の小セルＳ３（ｉ，ｊ）の周波数帯域ブロック６２が一部を残して削減されており、それによって生じた周波数帯域が大セルＢｉ，ｊ内の小セルＳ２（ｉ，ｊ）の周波数帯域ブロック６１に追加して割り当てられている。
【００２７】
再び図７を参照すると、大セルＢｉ，ｊ内の小セルＳ３（ｉ，ｊ）の周波数帯域を大セルＢｉ，ｊ内の小セルＳ２（ｉ，ｊ）に融通した場合、大セルＢｉ，ｊ内の小セルＳ２（ｉ，ｊ）と大セルＢｉ＋１，ｊ内の小セルＳ３（ｉ＋１，ｊ）または大セルＢｉ＋１，ｊ＋１内の小セルＳ３（ｉ，ｊ）との間で干渉が発生する可能性がある。このような干渉の発生を抑えるため、本実施の形態においては、図８に示すように、大セルＢｉ＋１，ｊ内の小セルＳ３（ｉ＋１，ｊ）および大セルＢｉ＋１，ｊ＋１内の小セルＳ３（ｉ＋１，ｊ＋１）の周波数帯域を、大セルＢｉ，ｊ内の小セルＳ３（ｉ，ｊ）の削減後の周波数帯域と同じ周波数帯域にするものとする。
【００２８】
上記においては、大セルＢｉ，ｊ内の小セルＳ３（ｉ，ｊ）の周波数帯域を大セルＢｉ，ｊ内の小セルＳ２（ｉ，ｊ）に融通する場合について説明したが、次に、大セルＢｉ，ｊ内の小セルＳ１（ｉ，ｊ）、Ｓ３（ｉ，ｊ）〜Ｓ７（ｉ，ｊ）の周波数帯域を大セルＢｉ，ｊ内の小セルＳ２（ｉ，ｊ）に融通する場合について、図９〜図１１を参照しながら説明する。
【００２９】
図９は、大セルＢｉ，ｊ内の小セルＳ１（ｉ，ｊ）、Ｓ３（ｉ，ｊ）〜Ｓ７（ｉ，ｊ）の周波数帯域を大セルＢｉ，ｊ内の小セルＳ２（ｉ，ｊ）に融通した場合の複数の大セル、および各大セルに含まれる複数の小セルの例を示す図である。図９において、大セルＢｉ，ｊ内の６個の白抜き矢印は、大セルＢｉ，ｊ内の小セルＳ１（ｉ，ｊ）、Ｓ３（ｉ，ｊ）〜Ｓ７（ｉ，ｊ）の周波数帯域を大セルＢｉ，ｊ内の小セルＳ２（ｉ，ｊ）に融通したことを示している。
【００３０】
図１０は、上記のようにして大セルＢｉ，ｊ内の小セルＳ１（ｉ，ｊ）〜Ｓ７（ｉ，ｊ）に周波数帯域を割当てた場合の周波数帯域ブロック７０〜７６を示す図である。ここでは、大セルＢｉ，ｊ内の小セルＳ１（ｉ，ｊ）、Ｓ３（ｉ，ｊ）〜Ｓ７（ｉ，ｊ）の周波数帯域を大セルＢｉ，ｊ内の小セルＳ２（ｉ，ｊ）に融通することとしている。そのため、大セルＢｉ，ｊ内の小セルＳ１（ｉ，ｊ）、Ｓ３（ｉ，ｊ）〜Ｓ７（ｉ，ｊ）の周波数帯域ブロック７０、７２〜７６が一部を残して削減されており、それによって生じた周波数帯域が大セルＢｉ，ｊ内の小セルＳ２（ｉ，ｊ）の周波数帯域ブロック７１に追加して割り当てられている。
【００３１】
再び図９を参照すると、大セルＢｉ，ｊ内の小セルＳ１（ｉ，ｊ）、Ｓ３（ｉ，ｊ）〜Ｓ７（ｉ，ｊ）の周波数帯域を大セルＢｉ，ｊ内の小セルＳ２（ｉ，ｊ）に融通した場合、大セルＢｉ，ｊ内の小セルＳ２（ｉ，ｊ）と、図９中で各種のハッチングが施されている大セルＢｉ−１，ｊ−１内の小セルＳ６（ｉ−１，ｊ−１）、Ｓ７（ｉ−１，ｊ−１）、大セルＢｉ＋１，ｊ内の小セルＳ１（ｉ＋１，ｊ）、Ｓ３（ｉ＋１，ｊ）〜Ｓ５（ｉ＋１，ｊ）、および大セルＢｉ＋１，ｊ＋１内の小セルＳ３（ｉ＋１，ｊ＋１）と、の間で干渉が発生する可能性がある。このような干渉の発生を抑えるため、本実施の形態においては、図１０に示すように、大セルＢｉ，ｊ−１内の小セルＳ１（ｉ，ｊ−１）および大セルＢｉ＋１，ｊ内の小セルＳ１（ｉ＋１，ｊ）の周波数帯域ブロック７７を、大セルＢｉ，ｊ内の小セルＳ１（ｉ，ｊ）の周波数帯域ブロック７０と同じ周波数帯域にするものとする。また、大セルＢｉ＋１，ｊ内の小セルＳ３（ｉ＋１，ｊ）および大セルＢｉ＋１，ｊ＋１内の小セルＳ３（ｉ＋１，ｊ＋１）の周波数帯域ブロック７８を、大セルＢｉ，ｊ内の小セルＳ３（ｉ，ｊ）の周波数帯域ブロック７２と同じ周波数帯域にするものとする。また、大セルＢｉ，ｊ−１内の小セルＳ４（ｉ，ｊ−１）および大セルＢｉ＋１，ｊ内の小セルＳ４（ｉ＋１，ｊ）の周波数帯域ブロック７９を、大セルＢｉ，ｊ内の小セルＳ４（ｉ，ｊ）の周波数帯域ブロック７３と同じ周波数帯域にするものとする。また、大セルＢｉ，ｊ−１内の小セルＳ５（ｉ，ｊ−１）および大セルＢｉ＋１，ｊ内の小セルＳ５（ｉ＋１，ｊ）の周波数帯域ブロック８０を、大セルＢｉ，ｊ内の小セルＳ５（ｉ，ｊ）の周波数帯域ブロック７４と同じ周波数帯域にするものとする。また、大セルＢｉ−１，ｊ−１内の小セルＳ６（ｉ−１，ｊ−１）および大セルＢｉ，ｊ−１内の小セルＳ６（ｉ，ｊ−１）の周波数帯域ブロック８１を、大セルＢｉ，ｊ内の小セルＳ６（ｉ，ｊ）の周波数帯域ブロック７５と同じ周波数帯域にするものとする。また、大セルＢｉ−１，ｊ−１内の小セルＳ７（ｉ−１，ｊ−１）および大セルＢｉ，ｊ−１内の小セルＳ７（ｉ，ｊ−１）の周波数帯域ブロック８２を、大セルＢｉ，ｊ内の小セルＳ７（ｉ，ｊ）の周波数帯域ブロック７６と同じ周波数帯域にするものとする。
【００３２】
本発明者は、図９および図１０に示すように１つの大セル（図９および図１０の例では、大セルＢｉ，ｊ）内の小セル間で周波数帯域を融通（図９および図１０の例では、小セルＳ１（ｉ，ｊ）、Ｓ３（ｉ，ｊ）〜Ｓ７（ｉ，ｊ）の周波数帯域を小セルＳ２（ｉ，ｊ）に融通）した場合に、当該１つの大セルとの間で干渉が発生し得る当該１つの大セル以外の他の大セル内の小セルは特定の小セル（図９および図１０の例では、大セルＢｉ，ｊ−１内の小セルＳ１（ｉ，ｊ−１）等）に限定され、そのような干渉が発生し得る小セルの位置、識別番号に規則性（関係）があることを見出した。図１１は、そのような規則性（関係）を表すテーブル（データ）を示す図である。
【００３３】
図１１のテーブルにおいて、縦方向（行方向）には、周波数帯域の融通を受ける周波数帯域受領側小セル（図９および図１０の例では、小セルＳ２（ｉ，ｊ））の番号（小セル番号）が表されている。また、横方向（列方向）には、周波数帯域を融通する周波数帯域提供側小セル（図９および図１０の例では、小セルＳ１（ｉ，ｊ）等）の番号（小セル番号）および周波数帯域の融通による干渉（影響）が発生し得る他の大セル内の小セル（図９および図１０の例では、小セルＳ１（ｉ，ｊ−１）等）の番号（小セル番号）が表されている。なお、本実施の形態においては、周波数帯域提供側小セル（図９および図１０の例では、小セルＳ１（ｉ，ｊ）等）の番号（小セル番号）と、周波数帯域の融通による干渉を受け得る他の大セル内の小セル（図９および図１０の例では、小セルＳ１（ｉ，ｊ−１）等）の番号（小セル番号）とは、一致する。そして、図１１のテーブルの各欄内には、周波数帯域受領側小セルの番号（小セル番号）および周波数帯域提供側小セルの番号（小セル番号）が定まった場合における、周波数帯域の融通による干渉が発生し得る２つの大セル（図９および図１０の例では、大セルＢｉ−１，ｊ−１等）の番号（大セル番号）が表されている。
【００３４】
例えば図９および図１０においては大セルＢｉ，ｊ内の小セルＳ１（ｉ，ｊ）から小セルＳ２（ｉ，ｊ）に周波数帯域が融通されているので、図１１の第２行（周波数帯域受領側小セルＳ２（ｉ，ｊ）に対応）の第１列（周波数帯域提供側小セルＳ１（ｉ，ｊ）に対応）の欄を参照すると、２つの大セル番号（Ｂｉ，ｊ−１およびＢｉ＋１，ｊ）が表されている。従って、大セルＢｉ，ｊ−１内の小セルＳ１（すなわち、小セルＳ１（ｉ，ｊ−１））および大セルＢｉ＋１，ｊ内の小セルＳ１（すなわち、小セルＳ１（ｉ＋１，ｊ））に干渉が発生し得ることがわかる。
【００３５】
また、例えば図９および図１０においては大セルＢｉ，ｊ内の小セルＳ３（ｉ，ｊ）から小セルＳ２（ｉ，ｊ）に周波数帯域が融通されているので、図１１の第２行（周波数帯域受領側小セルＳ２（ｉ，ｊ）に対応）の第３列（周波数帯域提供側小セルＳ３（ｉ，ｊ）に対応）の欄を参照すると、２つの大セル番号（Ｂｉ＋１，ｊおよびＢｉ＋１，ｊ＋１）が表されている。従って、大セルＢｉ＋１，ｊ内の小セルＳ３（すなわち、小セルＳ３（ｉ＋１，ｊ））および大セルＢｉ＋１，ｊ＋１内の小セルＳ３（すなわち、小セルＳ３（ｉ＋１，ｊ＋１））に干渉が発生し得ることがわかる。
【００３６】
なお、図１１に示すテーブルは、ＲＯＭ、ＲＡＭ等の記録媒体に記録することができる。この記録媒体は、図１のセル制御部２５０の内部または外部に配置することができる。この記録媒体が記録手段を構成する。
【００３７】
セル制御部２５０（図１参照）は、図１１に示すテーブルに従って、周波数帯域の融通による干渉が発生し得る小セルの周波数帯域（図１０の周波数帯域ブロック７７〜８２参照）が周波数帯域提供側小セルの周波数帯域（図１０の周波数帯域ブロック７０、７２〜７６参照）と同じになるように制御するための周波数割当て制御信号を生成して、周波数帯域ブロック選択合成部１００（図４参照）に出力する。
【００３８】
以上説明したように、本実施の形態では、周波数帯域繰り返し数（セル繰り返し数）を１つの大セルに含まれる小セルの数とするとともに、大セルに割当てられた周波数帯域内で各小セルの周波数帯域割当てを行うこととした。これにより、災害時等の緊急性を要するときに、トラフィック量の増加等の理由により、或る小セルの周波数帯域を増加させた場合であっても、当該小セルと近傍の小セルとの間での干渉の発生を抑えられる、当該小セルを含む大セル内の各小セルの周波数帯域割当ておよび当該大セルに隣接する各大セル内の各小セルの周波数帯域割当てが可能な周波数割当て制御装置を得ることができる。
【００３９】
また、本実施の形態では、トラフィック量の増加等の理由により、或る小セルの周波数帯域を増加させた場合であっても、当該小セルと近傍の小セルとの間での干渉の発生を抑えるために、周波数帯域の割当ての影響（干渉）が及び得る範囲として当該小セルを含む大セルに隣接する各大セルに対して周波数帯域の割当て・制御を行えば良い。これにより、衛星通信システム全体でセルの周波数帯域割当てを行う必要がなくなることから、通信衛星上の周波数帯域割当て制御装置の複雑さが抑えられるとともに、周波数帯域割当て処理が簡単になる。
【００４０】
実施の形態２．
図１２は、本発明にかかる周波数帯域割当て制御装置を備えた通信衛星の実施の形態２の構成例を示す図である。本実施の形態は、本発明を通信衛星に適用したものである。本実施の形態の通信衛星は、上述した実施の形態１の通信衛星に対して、大セル周波数帯域割当て部３１０が追加された構成となっており、大セル周波数帯域割当て部３１０の追加に伴い、小セル周波数帯域割当て・合成部３２０、３２１、…、３２ｎ、およびセル制御部３５０の制御動作が一部追加されている。なお、その他のチャネル分離部３００、ビーム形成部３３０、および周波数変換部３４０は、実施の形態１のチャネル分離部２００、ビーム形成部２３０、および周波数変換部２４０と同様であるため、その説明は省略する。なお、大セル周波数帯域割当て部３１０が大セル周波数割当て手段を構成する。
【００４１】
図１３は、本実施の形態における大セルの設定方法の概要を示す図である。図１３において、実線は小セルＳ１（ｉ，ｊ）を中心とする大セルＢ（１）ｉ，ｊを表している。なお、Ｂ（１）ｉ，ｊの右上の（１）は、中心となる小セルＳ１（ｉ，ｊ）の小セル番号である「１」を表している。図１３では周波数帯域繰り返し数（セル繰り返し数）を「７」に想定し、１個の大セルが７個の小セルを含んで構成される例を示しており、小セルＳｍ（ｍは１〜７の整数）を中心として大セルを形成する場合には、各大セルはＢ（ｍ）ｉ，ｊ（ｍは大セルの中心となる小セルの番号であり、１〜７の整数）と表現され、図１３の実線および点線によって、ｍ＝１〜７としたときの大セルの構成を示している。
【００４２】
図１４は、大セルＢｉ，ｊ内の小セルＳ２（ｉ，ｊ）〜Ｓ７（ｉ，ｊ）の周波数帯域を小セルＳ１（ｉ，ｊ）に融通した場合の複数の大セル、および各大セルに含まれる複数の小セルの例を示す図である。図１４において、大セルＢｉ，ｊ内の６個の白抜き矢印は、小セルＳ２（ｉ，ｊ）〜Ｓ７（ｉ，ｊ）の周波数帯域を小セルＳ１（ｉ，ｊ）に融通したことを示している。
【００４３】
図１５は、上記のようにして小セルＳ１（ｉ，ｊ）〜Ｓ７（ｉ，ｊ）に周波数帯域を割当てた場合の周波数帯域ブロック５０〜５６を示す図である。ここでは、小セルＳ２（ｉ，ｊ）〜Ｓ７（ｉ，ｊ）の周波数帯域を小セルＳ１（ｉ，ｊ）に融通することとしている。そのため、小セルＳ２（ｉ，ｊ）〜Ｓ７（ｉ，ｊ）の周波数帯域ブロック５１〜５６の一部または全部が削減されており、それによって生じた周波数帯域が小セルＳ１（ｉ，ｊ）の周波数帯域ブロック５０に追加して割り当てられている。
【００４４】
再び図１４を参照すると、小セルＳ２（ｉ，ｊ）〜Ｓ７（ｉ，ｊ）の周波数帯域を小セルＳ１（ｉ，ｊ）に融通した場合、小セルＳ１（ｉ，ｊ）との間で干渉が発生する可能性がある大セルＢ（１）（ｉ，ｊ）外の小セルは、図１４中で各種のハッチングが施されているように、大セルＢ（１）（ｉ，ｊ）の外周部に隣接する小セル（図１４においては、大セルＢ（１）ｉ−１，ｊ−１内の小セルＳ６（ｉ−１，ｊ−１）等）に限られる。このように、ある特定の大セル（図１４においては、大セルＢ（１）ｉ，ｊ）内の中心である小セル（図１４においては、小セルＳ１（ｉ，ｊ））に周波数帯域を集中（融通）する場合には、当該小セルとの間で干渉が発生し得る小セルが当該大セル（図１４においては、大セルＢ（１）ｉ，ｊ）の外周部に隣接する小セルに限られる。そのため、先に説明した図９に示すように、隣接する大セルの１つに集中して小セル間の干渉の影響が発生することを抑えることができ、図１４に示すように、隣接する複数の大セルに干渉の影響を分散することができる。以下では、このことを利用して、周波数帯域を集中（融通）する小セルを中心として大セルを構成する場合について説明する。
【００４５】
図１６は、大セルＢ（ｍ）ｉ，ｊで中心となる小セルＳｍ（ｉ，ｊ）と、大セルＢ（ｍ）ｉ，ｊ内の各小セルで使用される大セルＢ（１）ｉ，ｊの周波数帯域（Ｆ１〜Ｆ７）、およびセル制御部３５０が出力する、大セルＢ（１）ｉ，ｊをベースとしたセル制御信号Ｐ（１）ｍ（ｉ，ｊ）（ｍは、大セルの中心となる小セルの番号）と、の関係を表すテーブルを示す図である。
【００４６】
図１６のテーブルにおいて、縦方向（行方向）には、大セルＢ（ｍ）ｉ，ｊで中心となる小セルの番号（小セル番号）が表されている。また、横方向（列方向）には、大セルＢ（ｍ）ｉ，ｊ内の各小セルで使用される、大セルＢ（１）ｉ，ｊをベースとした周波数帯域およびセル制御信号が表されている。そして、図１６のテーブルの各欄内の上段には、大セル周波数帯域割当て部３１０が大セルＢ（ｍ）ｉ，ｊ用に周波数帯域割当てを行う周波数帯域ブロック（Ｆ１〜Ｆ７）について、大セルＢ（１）ｉ，ｊベースで選択すべき周波数帯域が記載されている。また、図１６のテーブルの各欄内の下段には、周波数帯域Ｆ１〜Ｆ７に対し、どのような周波数帯域ブロックを大セルＢ（１）ｉ，ｊベースで選択するかを表すセル制御信号が記載されている。
【００４７】
なお、図１６に示すテーブルは、ＲＯＭ、ＲＡＭ等の記録媒体に記録することができる。この記録媒体は、図１２のセル制御部３５０の内部または外部に配置することができる。この記録媒体が記録手段を構成する。
【００４８】
セル制御部３５０（図１２参照）は、図１６に示すテーブルに従って、大セル周波数割当て制御信号を生成して、大セル周波数割当て部３１０（図１２参照）に出力する。
【００４９】
図１７は、図１６のテーブル（上段・下段）に基づいて大セルＢ（ｍ）ｉ，ｊの周波数帯域の設定（割当て）を実現する大セル周波数帯域割当て部３１０の構成を示す図である。大セルＢ（ｍ）ｉ，ｊの７つの周波数帯域ブロック（Ｆ１〜Ｆ７）４２０を形成するために、大セル周波数帯域割当て部３１０には、大セルＢ（１）ｉ，ｊの周波数帯域ブロック（Ｆ１〜Ｆ７）４２０が入力されるとともに、大セルＢ（１）ｉ，ｊに隣接する６個の大セルＢ（１）ｉ＋１，ｊ＋１、Ｂ（１）ｉ＋１，ｊ、Ｂ（１）ｉ，ｊ＋１、Ｂ（１）ｉ，ｊ−１、Ｂ（１）ｉ−１，ｊ、Ｂ（１）ｉ−１，ｊ−１の周波数帯域ブロック（Ｆ１〜Ｆ７）４００〜４０６も入力される。また、大セル周波数帯域割当て部３１０には、セル制御部３５０から出力されるＢ（ｍ）ｉ，ｊ用大セル制御信号（図１６のテーブル上段に示した大セルを選択するように設定するための、図１６のテーブル下段に示した信号）が入力される。大セル周波数帯域割当て部３１０は、Ｂ（ｍ）ｉ，ｊ用大セル制御信号に基づいて大セルＢ（１）ｉ，ｊに隣接する６個の大セルＢ（１）ｉ＋１，ｊ＋１、Ｂ（１）ｉ＋１，ｊ、Ｂ（１）ｉ，ｊ＋１、Ｂ（１）ｉ，ｊ−１、Ｂ（１）ｉ−１，ｊ、Ｂ（１）ｉ−１，ｊ−１の周波数帯域ブロック（Ｆ１〜Ｆ７）４００〜４０６から大セルＢ（ｍ）ｉ，ｊを形成する７つの周波数帯域ブロック（Ｆ１〜Ｆ７）を選択するための選択部４１０〜４１５を含んでいる。これらの選択部４１０〜４１５は、上記周波数帯域ブロックおよび大セル制御信号に基づいて、各大セルＢ（１）ｉ＋１，ｊ＋１、Ｂ（１）ｉ＋１，ｊ、Ｂ（１）ｉ，ｊ＋１、Ｂ（１）ｉ，ｊ−１、Ｂ（１）ｉ−１，ｊ、Ｂ（１）ｉ−１，ｊ−１の周波数帯域ブロック（Ｆ１〜Ｆ７）４００〜４０６から、大セルＢ（ｍ）ｉ，ｊの周波数帯域ブロック（Ｆ２〜Ｆ７）を選択して出力する。なお、周波数帯域ブロックＦ１に関しては、大セルＢ（ｍ）ｉ，ｊのｍの値には依存せず、大セルＢ（ｍ）ｉ，ｊのＦ１がそのまま使用される。
【００５０】
図１８は、小セル周波数帯域割当て・合成部３２０、３２１、…、３２ｎの単体構成を示す図である。図１８において、５１０〜５１６は、大セルＢ（ｍ）ｉ，ｊの周波数帯域ブロック（Ｆ１〜Ｆ７）であり、５００は、周波数帯域ブロックＦ１〜Ｆ７（５１０〜５１６）を周波数帯域割当ての最小単位である周波数帯域ｆ１１〜ｆ１４、ｆ２１〜ｆ２４、ｆ３１〜ｆ３４、ｆ４１〜ｆ４４、ｆ５１〜ｆ５４、ｆ６１〜ｆ６４、ｆ７１〜ｆ７４ごとに選択して合成することによりＢ（ｍ）ｉ，ｊ用小セル信号を生成する周波数帯域ブロック選択合成部である。５２０〜５２６（Ｃ１１〜Ｃ１７）は、大セルＢ（ｍ）ｉ，ｊの小セルＳ１に利用する周波数帯域ブロックが抽出された後にそれらの周波数帯域ブロックを合成する合成部である。本実施の形態においては、周波数帯域ブロック選択合成部５００は、７行×７列の計４９個の合成部Ｃ１１〜Ｃ７７を含んでいる。５３０〜５３５は、セル制御部３５０（図１２参照）から入力されるＢ（ｍ）ｉ，ｊ用帯域選択信号に基づいて、Ｂ（ｍ）ｉ，ｊ用周波数割当て制御信号を選択する選択部である。
【００５１】
図１８に示されるように、セル制御部３５０から選択部５３０〜５３５に対して、Ｂ（ｍ）ｉ，ｊ用周波数割当て制御信号Ｐ（１）ｍ（ｉ，ｊ）（ｍは中心となる小セルのセル番号であり、ｍ＝１〜７の値に応じて任意に設定可能）、およびＢ（ｍ）ｉ，ｊ用帯域選択信号が入力される。セル制御部３５０（図１２参照）は、図１６のテーブルの各欄内の下段に示される通りの信号がＢ（ｍ）ｉ，ｊ用周波数割当て制御信号Ｐ（１）ｍ（ｉ，ｊ）として選択部５３０〜５３５において選択されるように、Ｂ（ｍ）ｉ，ｊ用帯域選択信号を選択部５３０〜５３５に出力する。
【００５２】
合成部５２０〜５２６は、大セルＢ（１）ｉ，ｊ用の周波数割当て制御信号Ｐ１に基づき、小セルＳ１に利用する周波数帯域ブロックが抽出された後に、それらの周波数帯域ブロックを合成する。他の各小セルＳ２〜Ｓ７に関しても、大セルＢ（１）ｉ，ｊ用の周波数割当て制御信号Ｐ２〜Ｐ７に基づいて、各小セルＳ２〜Ｓ７に利用する周波数帯域ブロックが抽出された後に、それらの周波数帯域ブロックが合成される。
【００５３】
以上説明したように、本実施の形態では、周波数帯域繰り返し数（セル繰り返し数）を１つの大セルに含まれる小セルの数とするとともに、或る小セルの周波数帯域を増加させた場合に当該小セルが中心になるように大セルを設定し、当該大セル内の当該小セル以外の小セルの周波数帯域を削減し、それによって生じる周波数帯域を当該小セルに追加して割当てることとした。これにより、当該大セルに隣接する他の大セルへの干渉の影響を抑えることが可能な周波数割当て制御装置を得ることができる。
【産業上の利用可能性】
【００５４】
以上のように、本発明にかかる周波数帯域割当て制御装置は、無線通信に有用であり、特に、特定のセルの周波数帯域を増加させることが可能な周波数帯域割当て制御装置に適している。
【符号の説明】
【００５５】
１０〜１６、３０〜３６、６０〜６８、７０〜８２、９０〜９６、１２０〜１２６、４００〜４０６、４２０、５１０〜５１６  周波数帯域ブロック
２０〜２６、５２０〜５２６  合成部
１００、５００  周波数帯域ブロック選択合成部
１１０〜１１８、７００、７１０、７２０、７３０、７４０、７６０、７７０、７８０、７９０  通信チャネル
２００、３００  チャネル分離部
２２０、２２１、…、２２ｎ、３２０、３２１、…、３２ｎ  小セル周波数帯域割当て・合成部
２３０、３３０  ビーム形成部
２４０、３４０  周波数変換部
２５０、３５０  セル制御部
３１０  大セル周波数割当て部
４１０〜４１５、５３０〜５３５  選択部
【図１】
2010206527.tif 000003
【図２】
2010206527.tif 000004
【図３】
2010206527.tif 000005
【図４】
2010206527.tif 000006
【図５】
2010206527.tif 000007
【図６】
2010206527.tif 000008
【図７】
2010206527.tif 000009
【図８】
2010206527.tif 000010
【図９】
2010206527.tif 000011
【図１０】
2010206527.tif 000012
【図１１】
2010206527.tif 000013
【図１２】
2010206527.tif 000014
【図１３】
2010206527.tif 000015
【図１４】
2010206527.tif 000016
【図１５】
2010206527.tif 000017
【図１６】
2010206527.tif 000018
【図１７】
2010206527.tif 000019
【図１８】
2010206527.tif 000020